(57)【要約】〔課題〕  自動水栓の水量調整が、できなかった。〔解決手段〕  水道管にステップモータを設置する事で、自動水栓の水量調整をできる様にした。【選択図】図１
2004245021.tif 000002
【特許請求の範囲】
【請求項１】
ア）▲１▼タッチスイッチＡと▲３▼ステップモータＡと▲５▼設定水量装置を▲２▼水道管Ａにつける。
イ）▲３▼ステップモータＡのバルブと▲２▼水道管Ａの間に▲４▼水栓ケレップを入れる。
【請求項２】
ウ）▲３▼ステップモータＡと▲５▼設定水量装置と▲６▼タッチスイッチＢを▲７▼水道管Ｂにつける。
エ）▲３▼ステップモータＡのバルブと▲７▼水道管Ｂの間に▲４▼水栓ケレップを入れる。
【請求項３】
オ）▲８▼ステップモータＢと▲１▼タッチスイッチＡと▲５▼設定水量装置を▲９▼水道管Ｃにつける。
【請求項４】
カ）▲８▼ステップモータＢと▲５▼設定水量装置と▲６▼タッチスイッチＢを▲１１▼水道管Ｄにつける。
【請求項５】
キ）請求項１の▲１▼タッチスイッチＡを▲１２▼感知センサＡにかえたもの。
【請求項６】
ク）請求項２の▲６▼タッチスイッチＢを▲１３▼感知センサＢにかえたもの。
【請求項７】
ケ）請求項３の▲１▼タッチスイッチＡを▲１２▼感知センサＡにかえたもの。
【請求項８】
コ）請求項４の▲６▼タッチスイッチＢを▲１３▼感知センサＢにかえたもの。
【請求項９】
サ）請求項１の▲１▼タッチスイッチＡを▲１４▼開閉スイッチＡにかえたもの。
【請求項１０】
シ）請求項２の▲６▼タッチスイッチＢを▲１６▼開閉スイッチＢにかえたもの。
【請求項１１】
ス）請求項３の▲１▼タッチスイッチＡを▲１４▼開閉スイッチＡにかえたもの。
【請求項１２】
セ）請求項４の▲６▼タッチスイッチＢ▲１６▼開閉スイッチＢにかえたもの。
【請求項１３】
ソ）請求項１の▲１▼タッチスイッチＡを▲１５▼タッチパネルＡにかえたもの。
【請求項１４】
タ）請求項２の▲６▼タッチスイッチＢを▲１７▼タッチパネルＢにかえたもの。
【請求項１５】
チ）請求項３の▲１▼タッチスイッチＡを▲１５▼タッチパネルＡにかえたもの。
【請求項１６】
ツ）請求項４の▲６▼タッチスイッチＢを▲１７▼タッチパネルＢにかえたもの。
【請求項１７】
テ）従来の水道配管の途中に▲１８▼ステップモータＣと▲１９▼スイッチをつける。
【発明の詳細な説明】
【０００１】
〔発明の属する技術分野〕
本発明は、水道管に、ステップモータをつける事によって水の出入と水量調整をするものである。
【０００２】
〔従来の技術〕
従来、自動水栓装置はあったが、水量調整はできなかった。
【０００３】
〔発明が解決しようとする課題〕
自動水栓の水量調整ができる様にする事。
【０００４】
〔課題を解決するための手段〕
水道管にステップモータをつける事によって、水量調整をする。
【０００５】
〔発明の実施の形態〕
本発明は水道管にステップモータをつける事によって水量調整するものである。
以下本発明の実施の形態について説明する。
・請求項１について▲５▼設定水量装置のバルブ開度をスイッチで任意の開度に設定する。
▲１▼タッチスイッチＡに触れると▲３▼ステップモータＡに通電し、設定バルブ開度まで開く。再度触れると全閉する。
・請求項２．▲５▼設定水量装置のバルブ開度をスイッチで任意の開度に設定する。
▲６▼タッチスイッチＢの水側に触れると水側の▲３▼ステップモータＡに通電し設定バルブ開度まで開く。再度触れると全閉する。お湯側は水側と同様な作動である。
・請求項３．▲５▼設定水量装置のバルブ開度をスイッチで任意の開度に設定する。
▲１▼タッチスイッチＡに触れると▲８▼ステップモータＢに通電し設定バルブ開度まで開く。再度触れると全閉する。
・請求項４．▲５▼設定水量装置のバルブ開度をスイッチで任意の開度に設定する。
▲６▼タッチスイッチＢの水側に触れると水側の▲８▼ステップモータＢに通電し設定バルブ開度まで開く。再度触れると全閉する。お湯側は水側と同様な作動である。
・請求項５．▲５▼設定水量装置のバルブ開度をスイッチで任意の開度に設定する。
▲１２▼感知センサＡに手をかざすと▲３▼ステップモータＡに通電し設定バルブ開度まで開く。再度手をかざすと全閉する。又▲１２▼感知センサＡに手をかざし続けると、その間中▲３▼ステップモータＡに通電し、バルブを開き手を離すと止まる。再び手をかざすと、バルブが閉じ始め手を離すと止まる。再び手をかざすと、バルブを開き始め手を離すと止まる。
・請求項６．▲５▼設定水量装置のバルブ開度をスイッチで任意の開度に設定する。
▲１３▼感知センサＢの水側に手をかざすと水側の▲３▼ステップモータＡに通電し設定バルブ開度まで開く。再度手をかざすと全閉する。又水側の又▲１３▼感知センサＢに手をかざし続けるとその間中▲３▼ステップモータＡに通電し、バルブを開き手を離すと止まる。再び手をかざすとバルブが閉じ始め手を離すと止まる。再び手をかざすとバルブを開き始め手を離すと止まる。お湯側は、水側と同様な作動である。
・請求項７．▲５▼設定水量装置のバルブ開度をスイッチで任意の開度に設定する。
▲１２▼感知センサＡに手をかざすと▲８▼ステップモータＢに通電し設定バルブ開度まで開く。再度手をかざすと全閉する。又▲１２▼感知センサＡに手をかざし続けるとその間中▲８▼ステップモータＢに通電し、バルブを開き手を離すと止まる。再び手をかざすと、バルブが閉じ始め手を離すと止まる。再び手をかざすとバルブを、開き始め手を離すと止まる。
・請求項８．▲５▼設定水量装置のバルブ開度をスイッチで任意の開度に設定する。
▲１３▼感知センサＢの水側に手をかざすと水側の▲８▼ステップモータＢに通電し設定バルブ開度まで開く。再度手をかざすと全閉する。又水側の▲１３▼感知センサＢに手をかざし続けるとその間中▲８▼ステップモータＢに通電し、バルブを開き手を離すと止まる。再び手をかざすとバルブが閉じ始め手を離すと止まる。再び手をかざすとバルブを開き始め手を離すと止まる。お湯側は水側と同様な作動である。
・請求項９．▲５▼設定水量装置のバルブ開度をスイッチで任意の開度に設定する。
▲１４▼開閉スイッチＡの開側を一度押すと▲３▼ステップモータＡに通電し設定バルブ開度まで開く。閉側を一度押すと全閉する。又開側を押し続けるとその間中▲３▼ステップモータＡに通電しバルブを開き手を離すと止まる。閉側を押し続けると、閉じ始め手を離すと止まる。
・請求項１０．▲５▼設定水量装置のバルブ開度をスイッチで任意の開度に設定する。
▲１６▼開閉スイッチＢの水側の開スイッチを一度押すと水側の▲３▼ステップモータＡに通電し設定バルブ開度まで開く。閉側を一度押すと全閉する。又開側を押し続けるとその間中▲３▼ステップモータＡに通電しバルブを開き手を離すと止まる。閉側を押し続けると閉じ始め手を離すと止まる。お湯側は水側と同様な作動である。
・請求項１１．▲５▼設定水量装置のバルブ開度をスイッチで任意の開度に設定する。
▲１４▼開閉スイッチＡの開側を一度押すと▲８▼ステップモータＢに通電し設定バルブ開度まで開く。閉側を一度押すと全閉する。又開側を押し続けるとその間中▲８▼ステップモータＢに通電しバルブを開き手を離すと止まる。閉側を押し続けると閉じ始め手を離すと止まる。
・請求項１２．▲５▼設定水量装置のバルブ開度をスイッチで任意の開度に設定する。
▲１６▼開閉スイッチＢの水側の開スイッチを一度押すと水側の▲８▼ステップモータＢに通電し設定バルブ開度まで開く。閉側を一度押すと全閉する。又開側を押し続けるとその間中▲８▼ステップモータＢに通電し、バルブを開き手を離すと止まる。閉側を押し続けると閉じ始め手を離すと止まる。お湯側は水側と同様な作動である。
・請求項１３．▲５▼設定水量装置のバルブ開度をスイッチで任意の開度に設定する。
▲１５▼タッチパネルＡの開側を一度押すと▲３▼ステップモータＡに通電し、設定バルブ開度まで開く。閉側を一度押すと全閉する。又開側を押し続けると、その間中▲３▼ステップモータＡに通電しバルブを開き手を離すと止まる。閉側を押し続けると閉じ始め手を離すと止まる。
・請求項１４．▲５▼設定水量装置のバルブ開度をスイッチで任意の開度に設定する。
▲１７▼タッチパネルＢの水側の開スイッチを一度押すと水側の▲３▼ステップモータＡに通電し設定バルブ開度まで開く。閉側を一度押すと全閉する。又開側を押し続けるとその間中▲３▼ステップモータＡに通電しバルブを開き手を離すと止まる。閉側を押し続けると閉じ始め手を離すと止まる。お湯側は水側に準じる。
・請求項１５．▲５▼設定水量装置のバルブ開度をスイッチで任意の開度に設定する。
▲１５▼タッチパネルＡの開側を一度押すと▲８▼ステップモータＢに通電し設定バルブ開度まで開く。閉側を一度押すと全閉する。又開側を押し続けるとその間中▲８▼ステップモータＢに通電しバルブを開き手を離すと止まる。閉側を押し続けると閉じ始め手を離すと止まる。
・請求項１６．▲５▼設定水量装置のバルブ開度をスイッチで任意の開度に設定する。
▲１７▼タッチパネルＢの水側の開スイッチを一度押すと水側の▲８▼ステップモータＢに通電し設定バルブ開度まで開く。閉側を一度押すと全閉する。又開側を押し続けるとその間中▲８▼ステップモータＢに通電しバルブを開き手を離すと止まる。閉側を押し続けると閉じ始め手を離すと止まる。お湯側は水側に準じる。
・請求項１７．従来の水道管の途中、例えば手動バルブの取っ手をそれぞれの形状に合う様に▲１８▼ステップモータＣとつけかえ、又、▲１９▼スイッチをとりつける。又、例えば、台所の下の止水栓の配管にそれぞれの形状に合う様に▲１８▼ステップモータＣを組み込み又、使い易い所に▲１９▼スイッチをとりつける。作動は、前述の請求項に準ずる。
こうする事によって従来の水道管システムの大幅な変更なしで、本発明をつける事ができる。
【０００６】
〔発明の効果〕
本発明のステップモータを設置する事よって水量調整ができる様になる。
【図面の簡単な説明】
【図１】本発明の横図
【図２】本発明のスイッチ部分の上図
【図３】本発明のスイッチ部分の上図
【図４】本発明の上図
【図５】本発明の横図
【図６】本発明の上図
【図７】本発明のスイッチ部分の上図
【図８】本発明のスイッチ部分の上図
【符号の説明】
▲１▼タッチスイッチＡ
▲２▼水道管Ａ
▲３▼ステップモータＡ
▲４▼水栓ケレップ
▲５▼設定水量装置
▲６▼タッチスイッチＢ
▲７▼水道管Ｂ
▲８▼ステップモータＢ
▲９▼水道管Ｃ
▲１１▼水道管Ｄ
▲１２▼感知センサＡ
▲１３▼感知センサＢ
▲１４▼開閉スイッチＡ
▲１５▼タッチパネルＡ
▲１６▼開閉スイッチＢ
▲１７▼タッチパネルＢ
▲１８▼ステップモータＣ
▲１９▼スイッチ
【図１】
2004245021.tif 000003
【図２】
2004245021.tif 000004
【図３】
2004245021.tif 000005
【図４】
2004245021.tif 000006
【図５】
2004245021.tif 000007
【図６】
2004245021.tif 000008
【図７】
2004245021.tif 000009
【図８】
2004245021.tif 000010